(57)【要約】【課題】チャネル状態情報のフィードバック伝送方法及びユーザ端末を提供すること。【解決手段】該方法は、伝送モードにおいて、ユーザ端末ＵＥが、ランクインジケータＲＩと、チャネル品質指示情報ＣＱＩと、基地局ｅＮｏｄｅＢからの配置シグナリンクの中の少なくとも一つを含む指示情報に基づいてチャネル状態情報が携帯したコンテンツを確定するステップと、前記ＵＥが前記ｅＮｏｄｅＢに前記チャネル状態情報を送信するステップを含む。本発明によると、チャネル状態情報により提供されるコンテンツをマルチユーザＭＩＭＯとシングルユーザＭＩＭＯとの間でハンドオーバーする伝送モードに適用できない問題を解決し、チャネル状態情報の適用性を向上できる。【選択図】図１
2013516862.tif 000002
【特許請求の範囲】
【請求項１】
伝送モードにおいて、ユーザ端末ＵＥが、ランクインジケータＲＩと、チャネル品質指示情報ＣＱＩと、基地局ｅＮｏｄｅＢからの配置シグナリンクの中の少なくとも一つを含む指示情報に基づいて、チャネル状態情報が含むコンテンツを確定するステップと、
前記ＵＥが前記ｅＮｏｄｅＢに前記チャネル状態情報を送信するステップを含むことを特徴とするチャネル状態情報のフィードバック伝送方法。
【請求項２】
前記伝送モードが、マルチユーザＭＩＭＯとシングルユーザＭＩＭＯとの間でハンドオーバーする伝送モードを含むことを特徴とする請求項１に記載の方法。
【請求項３】
前記チャネル状態情報が含むコンテンツが、Ｍ個のプリコーディングマトリクスインジケータＰＭＩ及びＮ個のＣＱＩと、Ｋ個の前記ＣＱＩと、一つの前記ＲＩ（Ｍ、Ｎ、Ｋは正整数である）の中の一つを含むことを特徴とする請求項１に記載の方法。
【請求項４】
前記ＲＩにより指示されたランク＝Ｘである場合、前記Ｍ個のＰＭＩが、２つの第１のＰＭＩと、２つの第２のＰＭＩと、一つの前記第１のＰＭＩ及び一つの前記第２のＰＭＩと、一つの前記第１のＰＭＩと、一つの前記第２のＰＭＩ（Ｘ＝１、２、・・・、８である）の中の一つを含むことを特徴とする請求項３に記載の方法。
【請求項５】
Ｘ＝１である場合、前記Ｍ個のＰＭＩが、一つの前記第１のＰＭＩと、一つの前記第２のＰＭＩと、２つの前記第１のＰＭＩと、一つの前記第１のＰＭＩ及び一つの前記第２のＰＭＩの中の一つを含むことを特徴とする請求項４に記載の方法。
【請求項６】
１＜Ｘ＜予定値である場合、前記Ｍ個のＰＭＩが、一つの前記第２のＰＭＩと、２つの前記第１のＰＭＩと、一つの前記第１のＰＭＩ及び一つの前記第２のＰＭＩの中の一つを含み、
Ｘ＞＝前記予定値である場合、前記Ｍ個のＰＭＩが、一つの前記第２のＰＭＩと、一つの前記第１のＰＭＩ及び一つの前記第２のＰＭＩの中の一つを含むことを特徴とする請求項４に記載の方法。
【請求項７】
前記第１のＰＭＩが量子化ベクトルのインデックスで、前記第２のＰＭＩが量子化マトリクスのインデックスであって、又は、前記第１のＰＭＩがマルチユーザＭＩＭＯフィードバックモードＰＭＩで、前記第２のＰＭＩがシングルユーザＭＩＭＯフィードバックモードＰＭＩであって、又は、第２のＰＭＩが量子化マトリクスのインデックスで、第１のＰＭＩが量子化ベクトルのインデックス又は第２のＰＭＩの補充又は補強であることを特徴とする請求項４ないし６の中のいずれかに記載の方法。
【請求項８】
前記チャネル状態情報が含むコンテンツが、第１のＰＭＩのタイプが最高コンバニオンプリコーディングマトリクスインデックスＢＣＩ又は最低コンバニオンプリコーディングマトリクスインデックスＷＣＩであることを示すチャネル状態指示情報をさらに含むことを特徴とする請求項７に記載の方法。
【請求項９】
２つの同タイプのＰＭＩの中の一つのＰＭＩが他のＰＭＩの量子化オフセットインデックスであることを特徴とする請求項４ないし６の中のいずれかに記載の方法。
【請求項１０】
１＝＜前記ＲＩにより指示されたランクＸ＜＝Ｙである場合、前記Ｍ個のＰＭＩを第１のフィードバックモードでフィードバックし、
Ｙ＝＜Ｘ＜＝８である場合、前記Ｍ個のＰＭＩを第２のフィードバックモードでフィードバックし、
その中、Ｙ＝１、２、・・・、８で、前記第１のフィードバックモードがマルチユーザＭＩＭＯ方式に従うフィードバックで、前記第２のフィードバックモードがシングルユーザＭＩＭＯ方式に従うフィードバックであって、又は、前記第１のフィードバックモードがマルチユーザＭＩＭＯ方式とシングルユーザＭＩＭＯ方式の混合に従うフィードバックで、前記第２のフィードバックモードがシングルユーザＭＩＭＯ方式に従うフィードバックであって、又は、前記第１のフィードバックモードがマルチユーザＭＩＭＯ方式とシングルユーザＭＩＭＯ方式の混合に従うフィードバックで、前記第２のフィードバックモードがマルチユーザＭＩＭＯ方式とシングルユーザＭＩＭＯ方式の混合に従うフィードバックであることを特徴とする請求項３に記載の方法。
【請求項１１】
前記ＲＩにより指示されたランクＸ＝１である場合、Ｎ個の前記ＣＱＩ又はＫ個の前記ＣＱＩが、一つの第１ＣＱＩと、一つの前記第１ＣＱＩ及び一つの第２のＣＱＩの中の一つを含むことを特徴とする請求項３に記載の方法。
【請求項１２】
Ｘ＝２、３又は４である場合、Ｎ個の前記ＣＱＩ又はＫ個の前記ＣＱＩが、２つの前記第１ＣＱＩと、２つの前記第１ＣＱＩ及び一つの前記第２のＣＱＩの中の一つを含むことを特徴とする請求項３に記載の方法。
【請求項１３】
Ｘ＝５、６、７又は８である場合、Ｎ個の前記ＣＱＩ又はＫ個の前記ＣＱＩが、２つの前記第１ＣＱＩと、２つの前記第１ＣＱＩ及び一つの前記第２のＣＱＩと、２つの前記第１ＣＱＩ及び２つの前記第２のＣＱＩの中の一つを含むことを特徴とする請求項３に記載の方法。
【請求項１４】
複数の同タイプのＣＱＩを含む場合、前記複数の同タイプのＣＱＩにおける予定ＣＱＩを除く他のＣＱＩが、前記予定ＣＱＩの量子化オフセットインデックスであって、又は、前記複数の同タイプのＣＱＩがいずれも量子化値のインデックスであって、その中、前記予定ＣＱＩは前記複数の同タイプのＣＱＩの中の一つのＣＱＩであることを特徴とする請求項１１ないし１３の中のいずれかに記載の方法。
【請求項１５】
前記第１のＣＱＩがシングルユーザＭＩＭＯ方式に従って生成されたＣＱＩで、前記第２のＣＱＩがマルチユーザＭＩＭＯ方式に従って生成されたＣＱＩ、干渉状況指示、階層間干渉状況指示、又は単一階層のチャネル品質指示であることを特徴とする請求項１１ないし１３の中のいずれかに記載の方法。
【請求項１６】
前記指示情報が前記ｅＮｏｄｅＢからの配置シグナリンクを含む場合、前記ＵＥが前記指示情報に基づいて前記チャネル状態情報が含むコンテンツを確定するステップが、
前記ＵＥが前記配置シグナリンクに基づいて前記チャネル状態情報のフォーマットとオーバーヘッドを確定し、又は、
前記ＵＥが前記配置シグナリンクに基づいて、シングルユーザＭＩＭＯ方式に従うフィードバック又はマルチユーザＭＩＭＯ方式に従うフィードバック又はマルチユーザＭＩＭＯ方式とシングルユーザＭＩＭＯ方式の混合に従うフィードバックを含むフィードバックモードを確定するステップを含むことを特徴とする請求項１に記載の方法。
【請求項１７】
前記ＣＱＩの値＜＝ｈである場合、前記Ｍ個のＰＭＩが一つの第２のＰＭＩと一つのＷＣＩを含み、前記ＣＱＩの値＞ｈである場合、前記Ｍ個のＰＭＩが一つの前記第２のＰＭＩと一つのＢＣＩを含み、又は、
前記ＣＱＩの値＜＝ｈである場合、前記Ｍ個のＰＭＩが一つの前記第２のＰＭＩと一つの前記ＢＣＩを含み、前記ＣＱＩの値＞ｈである場合、前記Ｍ個のＰＭＩが一つの前記第２のＰＭＩと一つの前記ＷＣＩを含み、又は、
前記ＣＱＩの値＜＝ｈである場合、前記Ｍ個のＰＭＩが一つの前記第２のＰＭＩを含み、前記ＣＱＩの値＞ｈである場合、前記Ｍ個のＰＭＩが一つの第１のＰＭＩを含み、又は、
前記ＣＱＩの値＜＝ｈである場合、前記Ｍ個のＰＭＩが一つの前記ＰＭＩを含み、前記ＣＱＩの値＞ｈである場合、前記Ｍ個のＰＭＩが２つの前記ＰＭＩを含む（ｈは正整数である）ことを特徴とする請求項３に記載の方法。
【請求項１８】
前記第１のＰＭＩが量子化ベクトルのインデックスで、前記第２のＰＭＩが量子化マトリクスのインデックスであることを特徴とする請求項１７に記載の方法。
【請求項１９】
伝送モードにおいて、ランクインジケータＲＩ、チャネル品質指示情報ＣＱＩ、基地局ｅＮｏｄｅＢからの配置シグナリンクの中の少なくとも一つを含む指示情報に基づいて、チャネル状態情報が携帯したコンテンツを確定する確定ブロックと、
前記ｅＮｏｄｅＢに前記チャネル状態情報を送信する送信ブロックと、を含むことを特徴とするユーザ端末。
【発明の詳細な説明】
【技術分野】
【０００１】
本発明は、移動通信技術分野に関し、具体的には、チャネル状態情報のフィードバック伝送方法及びユーザ端末に関する。
【背景技術】
【０００２】
協調多入力多出力（Ｍｕｌｔｉｐｌｅ  Ｉｎｐｕｔ  Ｍｕｌｔｉｐｌｅ  Ｏｕｔｐｕｔ、以下ＭＩＭＯと略称）技術、即ち、多地点協調伝送（ＣＯＭＰ）技術は、複数のセルの送信アンテナによる協調伝送によってセル縁部の無線リンクの容量及び伝送の信頼性を向上し、セル縁部の干渉問題を効率的に解決できる。
【０００３】
無線通信において、送信端（例えば、基地局ｅＮＢ）において複数本のアンテナを用いていると、空間多重化の方式で伝送速度を向上でき、即ち、送信端において、同一の時間周波数リソースにおける異なるアンテナ位置で異なるデータを送信し、受信端（ユーザ端末ＵＥ）においても複数本のアンテナを用いる。通常、ＭＩＭＯには、シングルユーザの場合、全てのアンテナのリソースを全部同じユーザに割り当てるシングルユーザＭＩＭＯ（Ｓｉｎｇｌｅ  Ｕｓｅｒ−ＭＩＭＯ、以下ＳＵ−ＭＩＭＯと略称）と、マルチユーザの場合、異なるアンテナ空間リソースを異なるユーザに割り当て、同一の時間及び同一の搬送波において空間分割によって複数のユーザに対するサービスを実現するマルチユーザＭＩＭＯ（Ｍｕｌｔｉ  Ｕｓｅｒ−ＭＩＭＯ、以下ＭＵ−ＭＩＭＯと略称）との２種類の伝送形態が存在し、ＭＵ−ＭＩＭＯ伝送形態によるとセル内の平均スループットを向上することができる。
【０００４】
具体的には、ＳＵ−ＭＩＭＯは、一つのユーザ端末が一つの伝送間隔内において該ユーザ端末に割り当てた物理リソースを独占することを言う。ＭＵ−ＭＩＭＯは、一つのユーザ端末と少なくとも一つの他のユーザ端末が一つの伝送間隔内において該ユーザ端末に割り当てた物理リソースを共有することを言う。一つのユーザ端末と他のユーザ端末は、空間分割多元接続又は空間分割多重化方式で同一の物理リソース（時間周波数リソースを含む）を共有する。
【０００５】
第３世代パートナーシッププロジェクト標準組織による長期進化技術（Ｌｏｎｇ  ｔｅｒｍ  Ｅｖｏｌｕｔｉｏｎ、以下ＬＴＥと略称）において、上位階層シグナリングを通じて半静的（ｓｅｍｉ−ｓｔａｔｉｃａｌｌｙ）にユーザ端末を次の伝送モード（ｔｒａｎｓｍｉｓｓｉｏｎ  ｍｏｄｅ）の中の一つに基づくものに設定する。バージョン８の場合、次のモードを含む：
モード１：シングルアンテナポート；ポート０（Ｓｉｎｇｌｅ−ａｎｔｅｎｎａ  ｐｏｒｔ；ｐｏｒｔ  ０）
モード２：送信ダイバーシティ（Ｔｒａｎｓｍｉｔ  ｄｉｖｅｒｓｉｔｙ）
モード３：開ループ空間多重化（Ｏｐｅｎ−ｌｏｏｐ  ｓｐａｔｉａｌ  ｍｕｌｔｉｐｌｅｘｉｎｇ）
モード４：閉ループ空間多重化（Ｃｌｏｓｅｄ−ｌｏｏｐ  ｓｐａｔｉａｌ  ｍｕｌｔｉｐｌｅｘｉｎｇ）
モード５：マルチユーザ多入力多出力（Ｍｕｌｔｉ−ｕｓｅｒ  ＭＩＭＯ）
モード６：閉ループＲａｎｋ＝１プリコーディング（Ｃｌｏｓｅｄ−ｌｏｏｐ  Ｒａｎｋ＝１  ｐｒｅｃｏｄｉｎｇ）
モード７：シングルアンテナポート；ポート５（Ｓｉｎｇｌｅ−ａｎｔｅｎｎａ  ｐｏｒｔ；ｐｏｒｔ  ５）
【０００６】
ＵＥは、異なる伝送モードに基づいて異なるチャネル状態情報伝送フォーマットを確定し、その後、送信端（即ち、ｅＮＢ）はＵＥからフィードバックしたチャネル状態情報に基づいてスケジューリングし、一定の原則（例えば、最大容量原則）に従って、実際の伝送に用いるように、新しいチャネル状態情報を配置する。その中、ＵＥがフィードバックしたチャネル状態情報は次を含む：
チャネル品質指示情報（Ｃｈａｎｎｅｌ  ｑｕａｌｉｔｙ  ｉｎｄｉｃａｔｉｏｎ、以下ＣＱＩと略称）：ダウンリンクチャネル品質が良好であるか否かを判定する指標である。３６―２１３プロトコルにおいて、ＣＱＩを０〜１５の整数値で表し、それぞれ異なるＣＱＩレベルを示し、異なるＣＱＩは各自の変調方式及びコーディングスキーム（ＭＣＳ）に対応する。
【０００７】
プリコーディングマトリクスインジケータ（Ｐｒｅｃｏｄｉｎｇ  Ｍａｔｒｉｘ  Ｉｎｄｉｃａｔｏｒ、以下ＰＭＩと略称）：ＵＥがフィードバックしたプリコーディングコードブックのインデックス番号である。閉ループ空間多重化、ＭＵ−ＭＩＭＯ、ＲＩ＝１の閉ループの３種類のモードにおいて、ＰＭＩ情報をフィードバックしなければならず、他の送信モードではＰＭＩ情報をフィードバックする必要がない。ＰＭＩのフィードバック粒度は、帯域幅全体に対し一つのＰＭＩをフィードバックすることができれば、ｓｕｂｂａｎｄに基づいてＰＭＩをフィードバックすることもできる。
【０００８】
ランクインジケータ（Ｒａｎｋ  Ｉｎｄｉｃａｔｏｒ、以下ＲＩと略称）：空間的に独立したチャネルの数量を示し、チャネル応答マトリクスのランクに対応する。開ループ空間多重化と閉ループ空間多重化モードにおいて、ＵＥはＲＩ情報をフィードバックしなければならず、他のモードにおいてはＲＩ情報をフィードバックする必要がない。チャネルマトリクスのランクは階層数に対応する。
【０００９】
フィードバック情報の精度に対するチャネル状態情報のフィードバック伝送方法の影響が大きいので、送信端に対する正確なリソーススケジューリング及び無線システム伝送機能の向上に重要な作用を果たしている。しかし、既存技術におけるチャネル状態情報に携帯されるコンテンツの定義はシングルユーザＭＩＭＯの場合のみに適用し、又はマルチユーザＭＩＭＯの場合のみに適用し、マルチユーザＭＩＭＯとシングルユーザＭＩＭＯとの間でハンドオーバーする伝送モードに適用できない。
【発明の概要】
【発明が解決しようとする課題】
【００１０】
本発明は、既存のチャネル状態情報により提供されるコンテンツをマルチユーザＭＩＭＯとシングルユーザＭＩＭＯとの間でハンドオーバーする伝送モードに適用できない問題を解決できるチャネル状態情報のフィードバック伝送方法及びユーザ端末を提供することをその目的とする。
【課題を解決するための手段】
【００１１】
本発明の一態様によると、伝送モードにおいて、ユーザ端末ＵＥが、ランクインジケータＲＩと、チャネル品質指示情報ＣＱＩと、基地局ｅＮｏｄｅＢからの配置シグナリンクの中の少なくとも一つを含む指示情報に基づいて、チャネル状態情報が携帯したコンテンツを確定するステップと、ＵＥがｅＮｏｄｅＢにチャネル状態情報を送信するステップを含むチャネル状態情報のフィードバック伝送方法を提供する。
【００１２】
本発明の他の一態様によると、伝送モードにおいて、ランクインジケータＲＩと、チャネル品質指示情報ＣＱＩと、基地局ｅＮｏｄｅＢからの配置シグナリンクの中の少なくとも一つを含む指示情報に基づいて、チャネル状態情報が携帯したコンテンツを確定する確定ブロックと、ｅＮｏｄｅＢにチャネル状態情報を送信する送信ブロックと、を含むユーザ端末を提供する。
【発明の効果】
【００１３】
本発明によると、ＵＥが指示情報に基づいてチャネル状態情報が携帯したコンテンツを確定し、該チャネル状態情報を基地局に送信することによって、チャネル状態情報により提供されるコンテンツをマルチユーザＭＩＭＯとシングルユーザＭＩＭＯとの間でハンドオーバーする伝送モードに適用できない問題を解決し、チャネル状態情報の適用性を向上できる。
【図面の簡単な説明】
【００１４】
ここで説明する図面は本発明を理解させるためのもので、本発明の一部を構成し、本発明における実施例と共に本発明を解釈し、本発明を不当に限定するものではない。
【図１】図１は、本発明の実施例に係るチャネル状態情報のフィードバック伝送方法を示すフローチャートである。
【図２】図２は、本発明の実施例に係るチャネル状態情報のフィードバック伝送方法を示す詳細フローチャートである。
【図３】図３は、本発明の実施例に係るユーザ端末の構造を示すブロック図である。
【発明を実施するための形態】
【００１５】
以下、図面を参照しつつ実施例を結合して本発明を詳しく説明する。ここで、互いに矛盾しない限り、本願に記載の実施例及び実施例に記載の特徴を互いに組み合わせることができる。
【００１６】
本発明の実施例によると、チャネル状態情報のフィードバック伝送方法を提供し、図１は、本発明の実施例に係るチャネル状態情報のフィードバック伝送方法を示すフローチャートで、図１に示すように、次のステップを含む。
【００１７】
伝送モードにおいて、ユーザ端末ＵＥは指示情報に基づいて、チャネル状態情報が携帯したコンテンツを確定し（ステップＳ１０２）、その中、指示情報は、ランクインジケータＲＩと、チャネル品質指示情報ＣＱＩと、基地局ｅＮｏｄｅＢからの配置シグナリンクの中の少なくとも一つを含む。
【００１８】
ＵＥは、ｅＮｏｄｅＢにチャネル状態情報を送信する（ステップＳ１０４）。
【００１９】
関連技術におけるチャネル状態情報に携帯したコンテンツは、シングルユーザＭＩＭＯモードとマルチユーザＭＩＭＯモードの中の一つのみに適用し、シングルユーザＭＩＭＯとマルチユーザＭＩＭＯとの間で柔軟にハンドオーバーする場合には適用できないが、上記方法において、ユーザ端末が指示情報に基づいてチャネル状態情報が携帯したコンテンツを柔軟に確定し、シングルユーザＭＩＭＯとマルチユーザＭＩＭＯに適用し、シングルユーザＭＩＭＯとマルチユーザＭＩＭＯとの間でハンドオーバーする伝送モードを支援する。
【００２０】
上記の伝送モードは、マルチユーザ協調の多入力多出力（ＭＩＭＯ）とシングルユーザＭＩＭＯとの間でハンドオーバーする伝送モードを含むことができる。
【００２１】
チャネル状態情報が携帯したコンテンツが、Ｍ個のプリコーディングマトリクスインジケータＰＭＩ及びＮ個のＣＱＩと、Ｋ個のＣＱＩと、一つのＲＩの中の一つを含むことが好ましく、その中、Ｍ、Ｎ、Ｋは正整数である。ユーザ端末は指示情報に基づいて、上記Ｍ、Ｎ、Ｋの値を確定することができ、また、指示情報に基づいてＰＭＩ、ＣＱＩのタイプを確定することもできる。
【００２２】
チャネル状態情報が含むコンテンツが、さらに、チャネル状態指示情報を含むことが好ましい。チャネル状態指示情報は、第１のＰＭＩのタイプが最高のコンバニオンプリコーディングマトリクスインデックスＢＣＩであるか、それとも最低のコンバニオンプリコーディングマトリクスインデックスＷＣＩであるかを示す。
【００２３】
以下、指示情報がランクインジケータＲＩと、チャネル品質指示情報ＣＱＩと、基地局ｅＮｏｄｅＢからの配置シグナリンクを含む場合、ＵＥが指示情報に基づいてチャネル状態情報が含むコンテンツを確定するフローを詳しく説明する。
【００２４】
（一）指示情報がＲＩを含む場合、
Ｍ個のＰＭＩを確定する。
ＲＩより指示されたランク＝Ｘである場合、Ｍ個のＰＭＩは、２つの第１のＰＭＩと、２つの第２のＰＭＩと、一つの第１のＰＭＩ及び一つの第２のＰＭＩと、一つの第１のＰＭＩと、一つの第２のＰＭＩの中の一つを含み、その中、Ｘ＝１、２、・・・、８である。以下幾つかの具体的な場合について詳しく説明する。
【００２５】
１）ＰＭＩのフィードバックタイプ及び数量に基づいて区分する。
１、Ｘ＝１である場合、Ｍ個のＰＭＩは、一つの第１のＰＭＩと、一つの第２のＰＭＩと、２つの第１のＰＭＩと、一つの第１のＰＭＩ及び一つの第２のＰＭＩの中の一つを含む。
２、１＜Ｘ＜予定値である場合、Ｍ個のＰＭＩは、一つの第２のＰＭＩと、２つの第１のＰＭＩと、一つの第１のＰＭＩ及び一つの第２のＰＭＩの中の一つを含む。
３、Ｘ＞＝予定値である場合、Ｍ個のＰＭＩは、一つの第２のＰＭＩと、一つの第１のＰＭＩ及び一つの第２のＰＭＩの中の一つを含む。
【００２６】
その中、第１のＰＭＩは、マルチユーザＭＩＭＯフィードバックモードのＰＭＩで、第２のＰＭＩはシングルユーザＭＩＭＯフィードバックモードのＰＭＩであって、又は、第１のＰＭＩは量子化ベクトルのインデックス又は第２のＰＭＩの補充又は補強で、第２のＰＭＩは量子化マトリクスのインデックスであって、又は、第１のＰＭＩは量子化ベクトルのインデックスで、第２のＰＭＩは量子化マトリクスのインデックスである。
【００２７】
上記補充と補強は、第２のＰＭＩに基づくフィードバックのことを言い、その他は現在のチャネル情報のＰＭＩインデックスを示す。例えば、補強したＰＭＩインデックスは劣るＰＭＩインデックス（Ｗｏｒｓｔ  Ｃｏｍｐａｎｉｏｎ  Ｉｎｄｅｘ、以下ＷＣＩと略称）、即ち、最低随伴ＰＭＩ、又は最低コンバニオンＰＭＩを示し、如何にセル内又はセル間の干渉を最大にするかを指示し、つまり、ＷＣＩは避けるべき最悪の状況を指示する。また、補強したＰＭＩインデックスは良好のＰＭＩインデックス（Ｂｅｓｔ  Ｃｏｍｐａｎｉｏｎ  Ｉｎｄｅｘ、以下ＢＣＩと略称）、即ち、最高随伴ＰＭＩ又は最高コンバニオンＰＭＩを示することもでき、如何にセル内又はセル間の干渉を最適の状況に低減するかを指示する。
【００２８】
以上の２つの同タイプのＰＭＩの中の一つのＰＭＩは、他のＰＭＩの量子化オフセットインデックスで、即ち、２つの第１のＰＭＩの中の一つの第１のＰＭＩが他の第１のＰＭＩの量子化オフセットインデックスであることができ、２つの第２のＰＭＩの中の一つの第２のＰＭＩが他の第２のＰＭＩの量子化オフセットインデックスであることができる。
【００２９】
２）ＰＭＩのフィードバックモードに基づいて区分する。
１、１＝＜ＲＩに指示されたランクがＸ＜＝Ｙである場合、Ｍ個のＰＭＩを第１のフィードバックモードでフィードバックする。
２、Ｙ＝＜Ｘ＜＝８である場合、Ｍ個のＰＭＩを第２のフィードバックモードでフィードバックする。
【００３０】
その中、Ｙ＝１、２、・・・、８であって、第１のフィードバックモードはマルチユーザＭＩＭＯ方式に従うフィードバックで、第２のフィードバックモードはシングルユーザＭＩＭＯ方式に従うフィードバックであって、又は、第１のフィードバックモードがマルチユーザＭＩＭＯ方式とシングルユーザＭＩＭＯ方式の混合に従うフィードバックで、第２のフィードバックモードがシングルユーザＭＩＭＯ方式に従うフィードバックであって、又は、第１のフィードバックモードがマルチユーザＭＩＭＯ方式とシングルユーザＭＩＭＯ方式の混合に従うフィードバックで、第２のフィードバックモードがマルチユーザＭＩＭＯ方式とシングルユーザＭＩＭＯ方式の混合に従うフィードバックである。
【００３１】
その中、上記シングルユーザフィードバック（即ち、シングルユーザＭＩＭＯ方式に従うフィードバック）は、ユーザ端末によるシングルユーザ伝送の方式に従ったフィードバックを示し、例えば、第２のＰＭＩのみをフィードバックする。マルチユーザフィードバック（即ち、マルチユーザＭＩＭＯ方式に従うフィードバック）は、ユーザ端末による複数ユーザ伝送の方式に従ったフィードバックを示し、例えば、複数の第２のＰＭＩ、又は第２のＰＭＩと第１のＰＭＩをフィードバックする。マルチユーザＭＩＭＯ方式とシングルユーザＭＩＭＯ方式の混合に従うフィードバックは、シングルユーザＭＩＭＯ方式に従うフィードバックにプリコーディングフィードバック方式を追加したことを示し、追加されたプリコーディングは第１のＰＭＩであることができれば、第２のＰＭＩであることもできる。
【００３２】
Ｎ個のＣＱＩ又はＫ個のＣＱＩを確定する。
１、ＲＩに指示されたランクがＸ＝１である場合、Ｎ個のＣＱＩ又はＫ個のＣＱＩは、一つの第１ＣＱＩと、一つの第１ＣＱＩ及び一つの第２のＣＱＩの中の一つを含む。
２、Ｘ＝２、３又は４である場合、Ｎ個のＣＱＩ又はＫ個のＣＱＩは、２つの第１ＣＱＩと、２つの第１ＣＱＩ及び一つの第２のＣＱＩの中の一つを含む。
３、Ｘ＝５、６、７又は８である場合、Ｎ個のＣＱＩ又はＫ個のＣＱＩは、２つの第１ＣＱＩと、２つの第１ＣＱＩ及び一つの第２のＣＱＩと、２つの第１ＣＱＩ及び２つの第２のＣＱＩの中の一つを含む。
【００３３】
上記１、２、３において、第１のＣＱＩはシングルユーザＭＩＭＯ方式に従って生成されたＣＱＩで、第２のＣＱＩはマルチユーザＭＩＭＯ方式に従って生成されたＣＱＩ、干渉状況指示、階層間干渉状況指示、又は単一階層のチャネル品質指示である。複数の同タイプのＣＱＩを含む場合、複数の同タイプのＣＱＩにおける予定のＣＱＩを除く他のＣＱＩは予定のＣＱＩの量子化オフセットインデックスであって、又は、複数の同タイプのＣＱＩがいずれも量子化値のインデックスであって、その中、予定のＣＱＩは複数の同タイプのＣＱＩの中一つのＣＱＩである。
【００３４】
（二）指示情報が基地局ｅＮｏｄｅＢからの配置シグナリンクを含む場合
実際の応用において、配置シグナリンクに基づいてチャネル状態情報が携帯したコンテンツを確定するフローは以下を含むがこれらに限定されることはない。
１、ＵＥが配置シグナリンクに基づいて、チャネル状態情報のフォーマット（即ち、上記ＰＭＩ、ＣＱＩのタイプと数量）とオーバーヘッド（具体的なコンテンツのサイズ）を確定し、又は、
２、ＵＥが配置シグナリンクに基づいて、シングルユーザＭＩＭＯ方式に従うフィードバック又はマルチユーザＭＩＭＯ方式に従うフィードバック又はマルチユーザＭＩＭＯ方式とシングルユーザＭＩＭＯ方式の混合に従うフィードバックを含むフィードバックモードを確定する。
【００３５】
（三）指示情報がＣＱＩを含む場合
実際の応用において、ＣＱＩに基づいてチャネル状態情報が含むコンテンツを確定するフローは以下を含むが、これらに限定されることはない。
１、ＣＱＩの値＜＝ｈである場合、Ｍ個のＰＭＩが一つの第２のＰＭＩと、一つの劣るＰＭＩインデックスＷＣＩを含み、ＣＱＩの値＞ｈである場合、Ｍ個のＰＭＩが一つの第２のＰＭＩと良好のＰＭＩインデックスＢＣＩを含み、又は、
２、ＣＱＩの値＜＝ｈである場合、Ｍ個のＰＭＩが一つの第２のＰＭＩと一つのＢＣＩを含み、ＣＱＩの値＞ｈである場合、Ｍ個のＰＭＩが一つの第２のＰＭＩとＷＣＩを含み、又は、
３、ＣＱＩの値＜＝ｈである場合、Ｍ個のＰＭＩが一つの第２のＰＭＩを含み、ＣＱＩの値＞ｈである場合、Ｍ個のＰＭＩが一つの第１のＰＭＩを含み、又は、
４、ＣＱＩの値＜＝ｈである場合、Ｍ個のＰＭＩが一つのＰＭＩを含み、ＣＱＩの値＞ｈである場合、Ｍ個のＰＭＩが２つのＰＭＩを含む。
【００３６】
上記第１のＰＭＩは量子化ベクトルのインデックスで、第２のＰＭＩは量子化マトリクスのインデックスである。
【００３７】
なお、上記（一）〜（三）は、ＵＥがＲＩ、ＣＱＩ又はｅＮｏｄｅＢからの配置シグナリンクのみを用いてチャネル状態情報が含むコンテンツを確定することを説明するものであるが、実際の応用において、（一）〜（三）に記載のフローを組み合わせることができ、例えば、ＵＥがＲＩとＣＱＩの組合せ、ＲＩと配置シグナリンクの組合せ、ＲＩ、ＣＱＩと配置シグナリンクの組合せに基づいてチャネル状態情報のコンテンツを確定することができる。
【００３８】
既存技術において、チャネル状態情報に含まれるコンテンツをマルチユーザＭＩＭＯモードの量子化に用いる場合、精度を低下する問題が存在するが、本発明の実施例に提供される方法においてフィードバックした第１のＰＭＩと第２のＣＱＩはマルチユーザＭＩＭＯでの量子化精度を向上することができる。
【００３９】
ステップＳ１０４の後、ｅＮｏｄｅＢがチャネル状態情報に基づいてスケジューリングするステップをさらに含むことが好ましい。具体的には、ｅＮｏｄｅＢがチャネル状態情報に基づいてシングルユーザＭＩＭＯ方式又はマルチユーザＭＩＭＯ方式を選択して伝送することができる。
【００４０】
上記方法によると、ユーザ端末は指示情報に基づいてチャネル状態情報が含むコンテンツを柔軟に選択することができ、シングルユーザＭＩＭＯとマルチユーザＭＩＭＯに適用し、シングルユーザＭＩＭＯとマルチユーザＭＩＭＯとの間でハンドオーバーする伝送モードを支援し、同時に、フィードバックするチャネル状態情報に第１のＰＭＩ及び／又は第２のＣＱＩを携帯することによって、マルチユーザＭＩＭＯの量子化精度を向上し、シングルユーザＭＩＭＯとマルチユーザＭＩＭＯを同時に支援できる。
【００４１】
以下、実施例に合わせ、上記チャネル状態情報のフィードバック伝送方法のフローを詳しく説明する。
実施例
図２は、本発明の実施例に係るチャネル状態情報のフィードバック伝送方法を示す詳細フローチャートで、本発明の実施例に係るチャネル状態情報のフィードバック伝送方法は、以下のステップ（ステップＳ２０１〜ステップＳ２０９）を含む。
【００４２】
送信端ｅＮｏｄｅＢは、ユーザ端末ＵＥに、ダウンリンクチャネル状態測定用のパイロット（例えば、ダウンリンクチャネル情報パイロット参照情報）を送信する（ステップＳ２０１）。
【００４３】
ユーザ端末ＵＥは、受信したパイロット情報に基づいてダウンリンクチャネルを推定する（ステップＳ２０３）。
【００４４】
ユーザ端末ＵＥは、指示情報に基づいてチャネル状態情報が携帯したコンテンツを確定し（ステップＳ２０５）、その中、指示情報は、ランクインジケータＲＩと、チャネル品質指示情報ＣＱＩと、基地局ｅＮｏｄｅＢからの配置シグナリンクの中の少なくとも一つを含み、チャネル状態情報が含むコンテンツは、Ｍ個のプリコーディングマトリクスインジケータＰＭＩ及びＮ個のＣＱＩと、Ｋ個のＣＱＩと、一つのＲＩの中の一つを含み、その中、Ｍ、Ｎ、Ｋは正整数である。
【００４５】
ユーザ端末ＵＥは、チャネル状態情報を送信端ｅＮｏｄｅＢにフィードバックする（ステップＳ２０７）。
【００４６】
送信端ｅＮｏｄｅＢは、ユーザ端末がフィードバックしたチャネル状態情報に基づいてスケジューリングし、実際伝送中のチャネル状態情報を配置し、シングルユーザＭＩＭＯ又はマルチユーザＭＩＭＯの伝送を実現する（ステップＳ２０９）。
【００４７】
ステップＳ２０９において、基地局の送信端はフィードバックから得たチャネル状態情報とリソースに基づいてスケジューリングし、一定のアルゴリズムに従って実際伝送に必要の新しいチャネル状態情報を生成する。ここで、フィードバック情報にＭＵチャネル状態情報が含まれていない場合、ＭＵ−ＭＩＭＯ伝送を行うことができないことを意味するのではない。それは、基地局の送信端がフィードバックから得たＳＵ−ＭＩＭＯチャネル品質情報に基づいて一定のアルゴリズムに従ってＭＵ−ＭＩＭＯシステムでのチャネル品質情報を推定することができるからである。例えば、表２において、ランクが２である場合、ＭＵ−ＭＩＭＯのＣＱＩ情報をフィードバックしないが、フィードバックから得たＳＵ−ＣＱＩ１とＳＵ−ＣＱＩ２情報から一定のアルゴリズムに従ってＭＵ−ＭＩＭＯ時のＣＱＩ情報を推定することができる。
【００４８】
説明のため、以下の説明において、第１タイプのプリコーディングマトリクスインジケータ（即ち、上記第１のＰＭＩ、以下ＰＭＩ  １で示す）は、量子化ベクトルのインデックスを示し、第２タイプのプリコーディングマトリクスインジケータ（即ち、上記第２のＰＭＩ、以下ＰＭＩ  ２で示す）は、量子化マトリクスのインデックスを示し、又は、第１タイプのプリコーディングマトリクスインジケータ（即ち、上記第１のＰＭＩ、以下ＰＭＩ  １で示す）はマルチユーザＭＩＭＯフィードバックモードのＰＭＩで、第２タイプのプリコーディングマトリクスインジケータ（即ち、上記第２のＰＭＩ、以下ＰＭＩ  ２で示す）はシングルユーザＭＩＭＯフィードバックモードのＰＭＩである。第１タイプのチャネル品質指示ＣＱＩ値（即ち、上記第１ＣＱＩ、以下ＳＵ−ＣＱＩ  で示す）はシングルユーザＭＩＭＯ方式に従って生成されたＣＱＩで、第２タイプのチャネル品質指示ＣＱＩ値（即ち、上記第２のＣＱＩ、以下ＭＵ−ＣＱＩで示す）はマルチユーザＭＩＭＯ方式に従って生成されたＣＱＩ、干渉状況指示、階層間干渉状況指示、又は単一階層のチャネル品質指示である。
【００４９】
以下、実施例１〜実施例４によって表１〜表３を結合して上記チャネル状態情報の組成を詳しく説明する。
実施例１
表１を参照すると、表において数値はビット数を示し、ビット数値が０であると、フィードバックしないことを示し、０ではないビット数値は参照値で、実際の応用において、他の値であることもできる。
【表１】
2013516862.tif 000003
【００５０】
ランクが１である場合、ＵＥは６ビットのベクトルインデックスである一つの第１タイプのＰＭＩ値をフィードバックする。該インデックスは同時にＳＵ−ＭＩＭＯシステムとＭＵ−ＭＩＭＯシステムに応用できる。それと同時に、ＵＥは二つの４ビットＣＱＩ値をフィードバックし、その中、ＳＵ−ＣＱＩ  １はＳＵ−ＭＩＭＯシステム用で、ＭＵ−ＣＱＩはＭＵ−ＭＩＭＯシステム用である。
【００５１】
ランクが２である場合、ＵＥは６ビットのマトリクスインデックスである一つのＰＭＩ値をフィードバックする。該インデックスは同時にＳＵ−ＭＩＭＯシステムとＭＵ−ＭＩＭＯシステムに応用できる。それと同時に、ＵＥは三つの４ビットＣＱＩ値をフィードバックし、その中、ＳＵ−ＣＱＩ  １とＳＵ−ＣＱＩ  ２はＳＵ−ＭＩＭＯシステム用で、ＭＵ−ＣＱＩはＭＵ−ＭＩＭＯシステム用である。
【００５２】
ランクが３である場合、ＵＥは６ビットのマトリクスインデックスである一つのＰＭＩ値をフィードバックする。該インデックスは同時にＳＵ−ＭＩＭＯシステムとＭＵ−ＭＩＭＯシステムに応用できる。それと同時に、ＵＥは二つの４ビットＣＱＩ値をフィードバックし、その中、ＳＵ−ＣＱＩ  １とＳＵ−ＣＱＩ  ２はＳＵ−ＭＩＭＯシステム用である。
【００５３】
実施例２
表２を参照すると、表２において、数値はビット数を示し、ビット数値が０であるとフィードバックしないことを示し、０ではないビット数値は参照値で、実際の応用において、他の値であることもできる。
【表２】
2013516862.tif 000004
【００５４】
ランクが１である場合、ＵＥは６ビットのベクトルインデックスである一つのＰＭＩ値をフィードバックする。該インデックス、即ち、ＰＭＩ１は同時にＳＵ−ＭＩＭＯシステムとＭＵ−ＭＩＭＯシステムに応用できる。それと同時に、ＵＥは二つの４ビットＣＱＩ値をフィードバックし、その中、ＳＵ−ＣＱＩ  １はＳＵ−ＭＩＭＯシステム用で、ＭＵ−ＣＱＩはＭＵ−ＭＩＭＯシステム用である。
【００５５】
ランクが２である場合、ＵＥは二つのＰＭＩ値、即ち、ＰＭＩ１とＰＭＩ２をフィードバックする。その中、ＰＭＩ１は６ビットのマトリクスインデックスでＳＵ−ＭＩＭＯシステム用である。ＰＭＩ２は６ビットのベクトルインデックスでＭＵ−ＭＩＭＯシステム用である。同時に、ＵＥは２つの４ビットＣＱＩ値をフィードバックし、その中、ＳＵ−ＣＱＩ  １とＳＵ−ＣＱＩ  ２はＳＵ−ＭＩＭＯシステム用である。
【００５６】
ランクが３である場合、ＵＥは６ビットのマトリクスインデックスである一つのＰＭＩ値をフィードバックする。該インデックス、即ち、ＰＭＩ１はＳＵ−ＭＩＭＯシステムに適用できる。同時に、ＵＥは２つの４ビットＣＱＩ値をフィードバックし、その中、ＳＵ−ＣＱＩ  １とＳＵ−ＣＱＩ  ２はＳＵ−ＭＩＭＯシステム用である。
【００５７】
実施例３
表３を参照すると、表３において数値はビット数を示し、ビット数値が０であるとフィードバックしないことを示し、０ではないビット数値は参照値で、実際の応用において、他の値であることもできる。
【表３】
2013516862.tif 000005
【００５８】
ランクが１である場合、ＵＥは６ビットのベクトルインデックスである一つのＰＭＩ値をフィードバックする。該インデックス、即ち、ＰＭＩ１は同時にＳＵ−ＭＩＭＯシステムとＭＵ−ＭＩＭＯシステムに応用できる。同時に、ＵＥは２つのＣＱＩ値をフィードバックし、その中、ＳＵ−ＣＱＩ  １は４ビットでＳＵ−ＭＩＭＯシステム用であって、ＭＵ−ＣＱＩは３ビットでＳＵ−ＣＱＩ  １に基づく調節値であって、当該２つのＣＱＩ値は共にＭＵ−ＭＩＭＯシステム用である。
【００５９】
ランクが２である場合、ＵＥがいずれもベクトルインデックスである２つの６ビットＰＭＩ値、即ち、ＰＭＩ１とＰＭＩ２をフィードバックする。当該２つの値は同時にＳＵ−ＭＩＭＯシステムとＭＵ−ＭＩＭＯシステムに応用できる。同時に、ＵＥは三つのＣＱＩ値をフィードバックし、その中、ＳＵ−ＣＱＩ  １は４ビットで、ＳＵ−ＣＱＩ  ２は３ビットで、共にＳＵ−ＭＩＭＯシステム用であって、また、ＳＵ−ＣＱＩ  ２はＳＵ−ＣＱＩ  １に基づく調節値である。ＭＵ−ＣＱＩは３ビットで、ＳＵ−ＣＱＩ  １に基づく調節値であって、つまりＳＵ−ＣＱＩ  １とＭＵ−ＣＱＩは共にＭＵ−ＭＩＭＯシステム用である。
【００６０】
ランクが３である場合、ＵＥが２つのＰＭＩ値をフィードバックし、その中、ＰＭＩ１は６ビットのマトリクスインデックスでＳＵ−ＭＩＭＯシステム用である。ＰＭＩ２は６ビットのベクトルインデックスでＭＵ−ＭＩＭＯシステム用である。同時に、ＵＥは三つのＣＱＩ値をフィードバックし、その中、ＳＵ−ＣＱＩ  １は４ビットで、ＳＵ−ＣＱＩ  ２は３ビットで、同時にＳＵ−ＭＩＭＯシステムに応用でき、また、ＳＵ−ＣＱＩ  ２はＳＵ−ＣＱＩ  １に基づく調節値である。ＭＵ−ＣＱＩは３ビットで、ＳＵ−ＣＱＩ  １に基づく調節値であって、つまりＳＵ−ＣＱＩ  １とＭＵ−ＣＱＩは共にＭＵ−ＭＩＭＯシステム用である。
【００６１】
実施例１〜実施例３において、ランクインジケータＲＩに基づいてチャネル状態情報が携帯したコンテンツを確定するフローを説明し、以下、実施例４と実施例５によって配置シグナリンク又はＣＱＩに基づいてチャネル状態情報が携帯したコンテンツを確定するフローを説明する。
【００６２】
実施例４
配置シグナリンクとは、基地局がユーザ端末に送信するシグナリンクを指し、ユーザ端末が配置シグナリンクに基づいてチャネル状態情報が携帯したコンテンツを確定するフローが以下の２つの方式を含むが、これに限定されることはない。
１、ユーザ端末が配置シグナリンクに基づいてフィードバックフォーマットとオーバーヘッドを確定することができる。
例えば、ユーザ端末は基地局により配置されたフィードバックモードに基づいて、フィードバックフォーマットとオーバーヘッドを確定することができ、又は、配置シグナリンクにユーザ端末がフィードバックしたＰＭＩタイプ（第１又は第２）、フィードバックしたＰＭＩの数量、ＣＱＩのタイプ（第１又は第２）、フィードバックＣＱＩの数量などを指示することができる。
【００６３】
２、ユーザ端末が配置シグナリンクに基づいてフィードバックモードを確定することができる。
例えば、配置シグナリンクによってユーザ端末のシングルユーザ伝送方式に従うフィードバック、又はマルチユーザ伝送方式に従うフィードバック、又はマルチユーザＭＩＭＯ方式とシングルユーザＭＩＭＯ方式の混合に従うフィードバックを指示することができる。
【００６４】
実施例５
ユーザ端末がＣＱＩに基づいてチャネル状態情報が含むコンテンツを確定するフローが以下の４種類の方式を含むがこれに限定されることはない。
１、ＣＱＩ値がｈ以下である場合、第２のＰＭＩとＷＣＩインデックスをフィードバックし、ＣＱＩ値がｈを超える場合、第２のＰＭＩとＢＣＩインデックスをフィードバックする。
２、ＣＱＩ値がｈ以下である場合、第２のＰＭＩとＢＣＩインデックスをフィードバックし、ＣＱＩ値がｈを超える場合、第２のＰＭＩとＷＣＩインデックスをフィードバックする。
３、ＣＱＩ値がｈ以下である場合、第２のＰＭＩをフィードバックし、ＣＱＩ値がｈを超える場合、第１のＰＭＩをフィードバックする。
４、ＣＱＩ値がｈ以下である場合、一つのＰＭＩをフィードバックし、ＣＱＩ値がｈを超える場合、２つのＰＭＩをフィードバックする。
【００６５】
なお、ユーザ端末が同時にランクインジケータ、配置シグナリンク、ＣＱＩの中の少なくとも一つに基づいてフィードバックしたチャネル状態情報のコンテンツを確定することもでき、例えば、ＵＥがＲＩと配置シグナリンクに基づいてフィードバックしたチャネル状態情報のコンテンツを確定する場合、配置シグナリンクによりチャネル状態情報のオーバーヘッドが通知していると、例えば、６ビットであると、ＵＥはＲＩの値（例えば、１）に基づいてフィードバックしたチャネル状態情報に一つのサイズが６ビットである第１のＰＭＩが含まれると確定することができる。
【００６６】
本発明の実施例によると、ユーザ端末を提供し、図３は、本発明の実施例に係るユーザ端末の構造を示すブロック図で、図３に示すように、該ユーザ端末は、ｅＮｏｄｅＢ３４に、携帯したコンテンツが、量子化ベクトルのインデックスである第１のプリコーディングマトリクスインデックスＰＭＩと、マルチユーザ多入力多出力（ＭＩＭＯ）方式に従って生成されたＣＱＩである第２のチャネル品質指示ＣＱＩの中の少なくとも一つを含むチャネル状態情報を送信するＵＥ３２と、ＵＥ３２に接続され、チャネル状態情報を受信するｅＮｏｄｅＢ３４と、を含む。
【００６７】
上述のように、本発明の実施例によると、基地局に異なるチャネル状態情報をフィードバックすることによって、チャネル状態情報を柔軟且つ精確にフィードバックすることができ、第１のＰＭＩ及び／又は第２のＣＱＩを送信することによって、受信端のマルチユーザＭＩＭＯでの量子化精度を向上できる。該方法は同時にシングルユーザＭＩＭＯとマルチユーザＭＩＭＯとの間で動的にハンドオーバーする伝送モードに適用し、基地局が実際のチャネル条件に基づいてシングルユーザＭＩＭＯ伝送又はマルチユーザＭＩＭＯ伝送を動的に選択でき、システム性能の向上目的を実現できると共に、チャネル状態情報のフィードバック誤差を最小にし、最適のフィードバック効果を実現し、特定フィードバックが占めるオーバーヘッドを低減できる。
【００６８】
当業者にとっては、上記本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００６９】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013516862.tif 000006
【図２】
2013516862.tif 000007
【図３】
2013516862.tif 000008
【国際調査報告】
2013516862.tif 000009
2013516862.tif 000010
2013516862.tif 000011
2013516862.tif 000012